(57)【要約】【課題】被結束物に巻き回した紐の両側の２本を抱え込んで結束するためのステープルにおいて、紐の位置を安定させることができ、抱え込んだ紐を強固に保持することができるステープル及び連結ステープルを提供する。【解決手段】一対の脚部１１の間にクラウン部１２を設け、クラウン部１２には内側に曲折された山部１２ｂを形成した。これにより、ステープル１０で紐２０を結束したときに、紐２０の両側の２本を山部１２ｂの両側に分けて結束するようにした。【選択図】図４
2020172953.tif 000002
【特許請求の範囲】
【請求項１】
被結束物に巻き回した紐の両側の２本を抱え込んで結束するためのステープルであって
、
一対の脚部と、前記一対の脚部を連結するクラウン部と、を備え、
前記クラウン部には内側に曲折された山部が形成されていることを特徴とする、ステー
プル。
【請求項２】
前記脚部及び前記クラウン部は、紐を挟み込むために互いに対向するように設けられた
保持部を備えることを特徴とする、請求項１記載のステープル。
【請求項３】
前記脚部の先端には、先端方向に行くに従って拡開する導入部が設けられていることを
特徴とする、請求項１又は２記載のステープル。
【請求項４】
請求項１〜３のいずれか１項に記載のステープルを複数連結したことを特徴とする、連
結ステープル。
【発明の詳細な説明】
【技術分野】
【０００１】
この発明は、被結束物に巻き回した紐の両側の２本を抱え込んで結束するためのステー
プル及び連結ステープルに関する。
【背景技術】
【０００２】
従来、葡萄などの果樹栽培において、果樹の枝を支柱等に誘引して育てるために、誘引
結束機が使用されている。
【０００３】
誘引結束機としては、例えば非特許文献１に示すようなものが使用されている。この誘
引結束機で誘引作業を行う場合、まず被結束物にゴムチューブなどの紐を巻き回し、この
紐の両側の２本を抱え込むように誘引結束機でステープルを打ち込む。すると、紐がステ
ープルによって抱え込まれて固定され、紐によって被結束物を結束することができる。こ
うした誘引結束機には、例えば図９に示すようなステープルが使用される。
【先行技術文献】
【非特許文献】
【０００４】
【非特許文献１】マックス株式会社、製品情報「果樹用誘引結束機ＨＲ−Ｆ」、［online］、［平成２８年１２月２６日検索］、インターネット〈URL：http://wis.max-ltd.co.jp/agf/product_catalog.html?product_code=HR90010〉
【発明の概要】
【発明が解決しようとする課題】
【０００５】
しかし、上記した従来の誘引結束機に使用されるステープルは、図９（ｂ）に示すよう
に、略円形に曲げられて紐を抱え込むようになっていた。このため、図９（ｃ）に示すよ
うに、ステープルの内側に抱え込まれた２本の紐の位置が様々となって安定しないという
問題があった。例えば、クリンチが弱かったり紐同士が重なり合ったりして隙間ができる
と、紐が滑ってステープルから外れてしまう可能性があった。また、ステープルの先端の
バリで紐を傷付け、そこから紐が切れてしまう可能性があった。
【０００６】
そこで、本発明は、紐の位置を安定させることができ、抱え込んだ紐を強固に保持する
ことができるステープル及び連結ステープルを提供することを課題とする。
【課題を解決するための手段】
【０００７】
本発明は、上記した課題を解決するためになされたものであり、以下を特徴とする。
請求項１記載の発明は、被結束物に巻き回した紐の両側の２本を抱え込んで結束するた
めのステープルであって、一対の脚部の間にクラウン部を備え、前記クラウン部には内側
に曲折された山部が形成されていることを特徴とする。
【０００８】
請求項２に記載の発明は、上記した請求項１に記載の発明の特徴点に加え、前記脚部及
び前記クラウン部は、紐を挟み込むために互いに対向するように設けられた保持部を備え
ることを特徴とする。
【０００９】
請求項３に記載の発明は、上記した請求項１又は２に記載の発明の特徴点に加え、前記
脚部の先端には、先端方向に行くに従って拡開する導入部が設けられていることを特徴と
する。
【００１０】
請求項４に記載の発明は、上記した請求項１〜３のいずれか１項に記載のステープルを
複数連結したことを特徴とする。
【発明の効果】
【００１１】
請求項１に記載の発明は上記の通りであり、一対の脚部の間にクラウン部を備え、クラ
ウン部には内側に曲折された山部が形成されている。このような構成によれば、ステープ
ルで紐を結束するときに、一対の脚部の間に誘導された２本の紐を、２方向に分離するこ
とができる。紐の両側の２本をそれぞれ別々の脚部で抱え込むことができるので、抱え込
み時の形態が安定しやすくなり、抱え込んだ紐を強固に保持することができる。
【００１２】
また、請求項２に記載の発明は上記の通りであり、脚部及びクラウン部は、紐を挟み込
むために互いに対向するように設けられた保持部を備える。このような構成によれば、保
持部によって紐を挟み込んで保持できるので、抱え込んだ紐を強固に保持することができ
る。例えば図９に示すような従来のステープルでは、ステープルの内側に大きなＲ形状が
形成されるため、紐とステープルの間にスペースが生まれ易く、保持した紐が変形したり
動いたりすることがあるため、保持力が低下しやすいが、本発明のように対向する保持部
によって紐を挟み込むようにすれば、保持した紐が変形したりずれるスペースが生まれな
いので、ステープルと紐との接触荷重が変動せず、紐を強固に保持することができる。
【００１３】
また、請求項３に記載の発明は上記の通りであり、脚部の先端には、先端方向に行くに
従って拡開する導入部が設けられている。このような構成によれば、ステープルの内側に
紐を誘い込む際に、導入部を使用して誘い込みやすくすることができる。また、図９に示
すような従来のステープルでは、紐を抱え込んだときにステープルの先端が内側に向いて
しまうため、ステープル先端のバリなどで紐を傷付けてしまい、そこから紐が切れてしま
う可能性があった。この点、本発明によれば、導入部が外向きとなるので、抱え込んだ紐
を傷付けるおそれがない。
【００１４】
また、請求項４に記載の発明は上記の通りであり、ステープルを複数連結した連結ステ
ープルを得ることができる。
【図面の簡単な説明】
【００１５】
【図１】連結ステープルの斜視図である。
【図２】果樹の枝を支柱等に誘引した状態を示す図である。
【図３】結束前のステープルと紐との関係を示す図であって、（ａ）斜視図、（ｂ）正面図、（ｃ）側面図である。
【図４】結束後のステープルと紐との関係を示す図であって、（ａ）斜視図、（ｂ）正面図、（ｃ）側面図である。
【図５】結束後のステープルと紐と被結束物との関係を示す図であって、（ａ）平面図、（ｂ）ステープルのみの正面図である。
【図６】結束後のステープルと紐と被結束物との関係を示す図であって、（ａ）側面図、（ｂ）ステープルのみの正面図である。
【図７】導入部の角度を大きくしたステープルの正面図であって、（ａ）結束前の図、（ｂ）結束後の図である。
【図８】（ａ）ステープルの端面図、（ｂ）変形例１に係るステープルの端面図、（ｃ）変形例２に係るステープルの正面図である。
【図９】従来のステープルの正面図であって、（ａ）結束前の図、（ｂ）結束後の図、（ｃ）結束後に紐を保持した状態の図である。
【発明を実施するための形態】
【００１６】
本発明の実施形態について、図を参照しながら説明する。
本実施形態に係るステープル１０は、被結束物に巻き回した紐２０の両側の２本を抱え
込んで結束するためのものであり、例えば葡萄などの果樹栽培における誘引作業に使用さ
れる。具体的には、図２に示すように、果樹の枝２３を支柱２１や番線２２等に誘引して
育てるために、図示しない誘引結束機（図示せず）に装填して使用されるステープル１０
である。
【００１７】
誘引作業を行う場合には、まず複数の被結束物（枝２３、支柱２１、番線２２等）を束
にしてゴムチューブなどの紐２０を巻き回し、この紐２０の両側の２本を抱え込むように
誘引結束機を使用してステープル１０を打ち込む。すると、図５に示すように、紐２０が
ステープル１０によって抱え込まれて結束されるようになっている。
【００１８】
このステープル１０は、図１に示すように、複数のステープル１０が接着剤やテープ等
で連結された連結ステープル１８の形で提供される。この連結ステープル１８を誘引結束
機に装填して誘引結束機を操作すると、誘引結束機の打ち出し口からステープル１０が１
本ずつ打ち出されるとともに、打ち出されたステープル１０がクリンチされて曲げられる
。このとき、ステープル１０の内側に紐２０が導入されていると、この紐２０をステープ
ル１０が抱え込んで保持するようになっている。なお、本実施形態においては特に図示し
ないが、誘引結束機の打ち出し口に、２本の紐２０をステープル１０の両側に分けて誘導
するためのガイド部を設けてもよい。すなわち、ガイド部を設けることにより、後述する
山部１２ｂの両側に紐２０の両側の２本を分けて誘導できるようにしてもよい。
【００１９】
本実施形態にかかるステープル１０は、図３に示すように、鉄やアルミなどの金属製の
線材を曲げて形成された線状の部材であり、一対の脚部１１の間にクラウン部１２を備え
ている。
【００２０】
一対の脚部１１は、クラウン部１２の両端から連続するようにステープル１０の両側に
設けられており、クラウン部１２に連続する保持部１１ａと、保持部１１ａに連続する導
入部１１ｂと、を備える。脚部１１は、上記した保持部１１ａと導入部１１ｂとの間に先
端曲部１３を備えており、この先端曲部１３において鈍角に曲折した形状となっている。
このため、脚部１１は正面視で略「く」の字形となっている。
このうち、保持部１１ａは、直線的に形成された部位であり、クラウン部１２と協働し
て紐２０を挟み込むための部位である。
【００２１】
また、導入部１１ｂは、脚部１１の先端に設けられた部位であり、紐２０をステープル
１０の内側に誘い込みやすくするためのものである。クリンチ前の状態では、一対の導入
部１１ｂが先端方向に行くに従って拡開した状態となっている。このように拡開した導入
部１１ｂを設けることで、紐２０を導入するステープル１０の入口が大きく広がった状態
となるので、紐２０をステープル１０の内側に入れやすくなっている。また、脚部１１の
先端が外向きになっているので、先端のバリ等に紐２０が引っかかりにくくもなっている
。
【００２２】
なお、図３（ｂ）に示すように、一対の導入部１１ｂが成す角度Ｒは１８０度を超えな
い範囲に設定されていることが望ましい。すなわち、図７（ａ）に示すように、一対の導
入部１１ｂが成す角度Ｒを１８０度以上に設定すると、導入部１１ｂに沿って移動した紐
２０がステープル１０の外側に誘導されてしまうため、ステープル１０の内側に紐２０を
導入するという機能が発揮されなくなってしまう。また、図７（ｂ）に示すように、クリ
ンチ後に導入部１１ｂが開いた状態となるので、結束後の形態が大きくなってしまうため
である。
【００２３】
また、本実施形態においては、図３（ｂ）に示すように、一方側の導入部１１ｂは、他
方側の保持部１２ａの延長線上（言い換えると、他方側の保持部１２ａと同一線上）に配
置されている。
【００２４】
クラウン部１２は、一対の脚部１１を連結するように設けられており、一対の脚部１１
にそれぞれ連続する保持部１２ａと、保持部１２ａの間に設けられた山部１２ｂと、を備
える。
【００２５】
このうち、保持部１２ａは、直線的に形成された部位であり、上記した脚部１１の保持
部１１ａと協働して紐２０を挟み込むための部位である。この保持部１２ａは、脚部１１
の保持部１１ａとほぼ同じ長さで形成されている。
【００２６】
このクラウン部１２の保持部１２ａと脚部１１の保持部１１ａとは、脚曲部１４におい
て鋭角に曲折した形状となっており、紐２０を挟み込むために互いに対向するように設け
られている。図４に示すように、ステープル１０をクリンチして結束するときには、この
脚曲部１４でステープル１０が曲げられる。脚曲部１４を鋭角に形成することで、ステー
プル１０を曲げる量（角度）を小さくすることができ、ステープル１０をクリンチする際
の操作量や操作荷重を低減することができる。しかも、２つの保持部１１ａ、１２ａで紐
２０を挟み込んで保持できるので、紐２０を押し潰して保持することができる。しかも、
脚曲部１４の内側に紐２０が滑るスペースが生じないので、強固に紐２０を保持すること
ができる。特に、本実施形態においては、対向する一対の保持部１１ａ、１２ａが直線部
を備えており、この直線部１１ａ、１２ａで紐２０を挟み込むようになっているため、一
対の保持部１１ａ、１２ａの間にスペースが生じにくくなっている。
【００２７】
なお、脚曲部１４の内側のＲは紐２０の直径よりも小さく形成することが望ましい。脚
曲部１４の内側のＲを小さくすることで、クリンチしたときに脚部１１の保持部１１ａと
クラウン部１２の保持部１２ａとの間に隙間ができにくくなり、クリンチした紐２０が滑
ることを防止できる。
【００２８】
また、山部１２ｂは、クラウン部１２の中間部を内側に突出するように曲折して形成さ
れている。言い換えると、この山部１２ｂは、脚部１１の端部方向に曲折されて形成され
ている。この山部１２ｂを備えることで、クラウン部１２は正面視で略「く」の字形とな
っている。この山部１２ｂは、被結束物に巻き回した紐２０の両側の２本を分離するため
に設けられている。すなわち、図３に示すように、紐２０の両側の２本を山部１２ｂの両
側に分けて誘導し、この状態で結束することで、図４に示すように、２本の紐２０をそれ
ぞれ別にしてステープル１０で保持できるように形成されている。言い換えると、クラウ
ン部１２には、紐２０を保持するためのポケットＰが、山部１２ｂの左右に形成されてい
る。
【００２９】
また、この山部１２ｂが設けられていることにより、結束後も安定して紐２０を保持す
ることができる。具体的には、図６に示すように、この山部１２ｂに被結束物を沿わせる
ことでステープル１０が傾き、結束状態を安定させることができる。すなわち、図６に示
す上下方向で見たときに、ステープル１０は、山部１２ｂよりも下方において紐２０を保
持しているため、ステープル１０から紐２０を引き抜こうとする力（図６の矢印参照）が
働いたときに、山部１２ｂよりも下方が引っ張られる。このとき、ステープル１０は、山
部１２ｂにおいて被結束物（図６の場合は支柱２１）と接触するので、下方が引っ張られ
ることで山部１２ｂを支点に回動し、図６に示すように張られた紐２０及び被結束物に対
して斜めに傾いた状態となる。このようにステープル１０が傾くことで紐２０が折れ曲が
ると、ステープル１０と紐２０との間に生じる摩擦力がさらに大きくなるので、紐２０が
ステープル１０の内側で滑りにくくなり、保持力が増大する。
【００３０】
なお、山部１２ｂは直角または鈍角で形成することが望ましく、更に望ましくは９０〜
１３０度の範囲とすることが望ましい。このような角度で山部１２ｂを形成することによ
り、結束後のステープル１０の変形に強く、また、ステープル１０が傾くことによる効果
も得やすい。
【００３１】
また、ステープル１０の両側に紐２０を保持するポケットＰを形成し、この両側のポケ
ットＰの間にポケット出口Ａが設けられているため、紐２０が引っ張られたとしても、紐
２０はポケット出口Ａとは逆の方向にずれながら移動することになる。よって、紐２０を
外そうとする力が加わった場合でも、閉じられたステープル１０を開こうとする力（図４
（ｂ）の矢印参照）が働きにくくなっており、紐２０を安定して保持することができる。
【００３２】
なお、図９に示すような従来のステープル１００では、紐２０が引っ張られたときに閉
じられたステープル１００を開こうとする力（図９（ｂ）の矢印参照）が働くので、ステ
ープル１００が開いて紐２０の保持力が低減するおそれがあるが、本実施形態によればス
テープル１０が開きにくいので、紐２０を安定して保持することができる。
【００３３】
以上説明したように、本実施形態に係るステープル１０は、一対の脚部１１の間にクラ
ウン部１２を備え、クラウン部１２には内側に曲折された山部１２ｂが形成されている。
このような構成によれば、ステープル１０で紐２０を結束するときに、紐２０の両側の２
本を山部１２ｂの両側に分けて結束することができる。このように２本の紐２０をそれぞ
れ別にして、ステープル１０の各脚部１１によって紐２０に適切な荷重を与えることがで
きるので、２本の紐２０の位置が安定し、また、抱え込んだ紐２０を強固に保持すること
ができる。
【００３４】
また、紐２０を挟み込むために、脚部１１の保持部１１ａとクラウン部１２の保持部１
２ａとが、互いに対向して設けられている。このような構成によれば、保持部１１ａ、１
２ａによって紐２０を挟み込んで保持できる。保持部１１ａ、１２ａで紐２０を挟むよう
にすると、クリンチした後、脚部１１とクラウン部１２の間に隙間ができにくいので、抱
え込んだ紐２０を強固に保持することができる。
【００３５】
また、脚部１１の先端には、先端方向に行くに従って拡開する導入部１１ｂが設けられ
ている。このような構成によれば、ステープル１０の内側に紐２０を誘い込む際に、導入
部１１ｂを使用して誘い込みやすくすることができる。また、図９に示すような従来のス
テープル１００では、紐２０を抱え込んだときにステープル１０の先端が内側に向いてし
まうため、ステープル１０先端のバリなどで紐２０を傷付けてしまい、そこから紐２０が
切れてしまう可能性があった。この点、本実施形態によれば、導入部１１ｂが外向きとな
るので、抱え込んだ紐２０を傷付けるおそれがない。
【００３６】
なお、上記した実施形態に係るステープル１０は、図８（ａ）に示すような断面形状の
線材を使用して形成されている。すなわち、この図８（ａ）に示すような円を潰したよう
な断面形状となっており、ステープル１０をクリンチしたときに、対向する平坦面１５で
紐２０を挟み込むようになっている。このように面で紐２０を挟み込むことで、接触面積
を広くして摩擦を大きくし、保持力を高めることができる。しかしながら、ステープル１
０の断面形状はこれに限らず、図８（ｂ）に示すように、凹凸形状１５ａを設けることで
更に保持力を高めるようにしてもよい。
【００３７】
また、図８（ｃ）に示すように、線材の長手方向に沿って凹凸形状１５ａを設けること
で更に保持力を高めるようにしてもよい。
もちろん、平坦面１５や凹凸形状１５ａを設けずに、断面が円形の線材を使用してステ
ープル１０を形成してもよい。
【００３８】
また、上記した実施形態においては、保持部１１ａ、１２ａが直線状に延説されている
として説明したが、これに限らず、例えば、保持部１１ａ、１２ａの一方または両方を曲
線状に形成してもよい。
【００３９】
また、上記した実施形態においては、脚曲部１４が鋭角の場合について説明したが、こ
れに限らず、脚曲部１４は直角または鈍角であってもよい。
【００４０】
また、上記した実施形態においては、山部１２ｂはクラウン部１２の中間部を内側に突
出するように曲折して形成されているが、この実施形態に示される山部１２ｂの形状は一
例に過ぎず、これ以外の形状であってもよいことは言うまでもない。例えば、クラウン部
１２の中間を凹ませることで山部１２ｂが形成されていてもよい。
【符号の説明】
【００４１】
１０  ステープル
１１  脚部
１１ａ  保持部
１１ｂ  導入部
１２  クラウン部
１２ａ  保持部
１２ｂ  山部
１３  先端曲部
１４  脚曲部
１５  平坦面
１５ａ  凹凸形状
１８  連結ステープル
２０  紐
２１  支柱（被結束物）
２２  番線（被結束物）
２３  枝（被結束物）
１００  従来のステープル
Ｐ  ポケット
Ａ  ポケット出口
Ｒ  角度
【図１】
2020172953.tif 000003
【図２】
2020172953.tif 000004
【図３】
2020172953.tif 000005
【図４】
2020172953.tif 000006
【図５】
2020172953.tif 000007
【図６】
2020172953.tif 000008
【図７】
2020172953.tif 000009
【図８】
2020172953.tif 000010
【図９】
2020172953.tif 000011